(57)【特許請求の範囲】
【請求項１】
移動体通信端末と無線または有線により接続され、当該移動体通信端末のハンズフリー通話を実現するハンズフリー装置であって、
電話帳データが記憶された記憶媒体から読み出した電話帳データの登録名称にスペースを含む文字コードが含まれる場合には登録名称を表示し、前記記憶媒体から読み出した電話帳データの登録名称がブランクの場合には電話番号の一部もしくは全部を表示するもので、
前記移動体通信端末から電話帳データを受信した場合、当該電話帳データの登録名称に非対応の文字コードが含まれるか否かを判定する第１の判定手段と、
前記第１の判定手段によって前記受信した電話帳データに非対応の文字コードが含まれると判定された場合、前記非対応の文字コードをスペースに置換する第１の置換手段と、
前記電話帳データの登録名称がスペースのみか否かを判定する第２の判定手段と、
前記第２の判定手段によって前記登録名称がスペースのみであると判定された場合、前記登録名称をブランクにして記憶媒体に保存する第２の置換手段と、を備えたことを特徴とするハンズフリー装置。
【請求項２】
移動体通信端末と無線または有線により接続され、当該移動体通信端末のハンズフリー通話を実現するハンズフリー装置であって、
前記移動体通信端末から電話帳データを受信した場合、当該電話帳データの登録名称に非対応の文字コードが含まれるか否かを判定し、前記転送された電話帳データに非対応の文字コードが含まれると判定された場合、非対応の文字コードをスペースに置換し、置換した登録名称を含む電話帳データを記憶媒体に保存するもので、
前記記憶媒体から読み出した電話帳データの登録名称のすべてがスペースか否かを判定する判定手段と、
前記判定手段によって前記記憶媒体から読み出した電話帳データの登録名称のすべてがスペースであると判定された場合、電話帳データの電話番号の一部もしくは全部を表示する表示手段と、を備えたことを特徴とするハンズフリー装置。
【発明の詳細な説明】
【技術分野】
【０００１】
本発明は、移動体通信端末と無線または有線により接続され、当該移動体通信端末のハンズフリー通話を実現するハンズフリー装置に関する。
【背景技術】
【０００２】
従来、携帯電話やＰＨＳ端末等の移動体通信端末と無線または有線により接続され、この移動体通信端末のハンズフリー通話を実現するとともに移動体通信端末から電話帳データを転送可能としたハンズフリー装置がある（例えば、特許文献１参照）。
【０００３】
また、ハンズフリー装置として、移動体通信端末から電話帳データを転送する際に、電話帳データの登録名称に表示不可能な非対応の文字コードが含まれると、非対応の文字コードをスペースに置換する処理を行うものが製品化されている。この処理により、携帯電話やＰＨＳ端末等の移動体通信端末から転送される電話帳データに絵文字等の互換性のない文字コードが含まれていても、文字化けしないようになっている。
【特許文献１】特開２００３−２９８７２７号公報
【発明の開示】
【発明が解決しようとする課題】
【０００４】
上記した非対応の文字コードをスペースに置換する処理を行うハンズフリー装置による電話帳データの表示画面の表示例を図５（ａ）に示す。このハンズフリー装置は、登録名称と電話番号が関連付けられて登録された記憶媒体から登録名称を読み出して電話帳データを表示するようになっている。図５（ａ）に示すように、電話帳データの登録名称にアルファベット（ＡＳＣＩＩ）が含まれる場合、電話帳データの表示画面には登録名称がアルファベットで表示され、利用者は登録名称を認識することができる。
【０００５】
しかし、上記したハンズフリー装置は、移動体通信端末から電話帳データを受信する際に、電話帳データの登録名称に表示不可能な非対応の文字コードが含まれると、非対応の文字コードをスペースに置換する処理を行うため、電話帳データの登録名称のすべてが非対応の文字コードの場合、登録名称のすべてをスペースに置換して、図５（ｂ）に示すように、登録名称をスペースのみで表示することになる。このように、登録名称をスペースのみで表示する場合、利用者には登録名称が表示されていないように見えるため、利用者は電話帳データを識別できなくなってしまうといった問題があった。
【０００６】
本発明は上記問題に鑑みたもので、移動体通信端末から受信した電話帳データの登録名称の非対応の文字コードをスペースのみに置換しても、利用者が電話帳データを識別できるようにすることを目的とする。
【課題を解決するための手段】
【０００７】
上記目的を達成するため、本発明では、電話帳データが記憶された記憶媒体から読み出した電話帳データの登録名称にスペースを含む文字コードが含まれる場合には登録名称を表示し、記憶媒体から読み出した電話帳データの登録名称がブランクの場合には電話番号の一部もしくは全部を表示するもので、移動体通信端末から電話帳データを受信した場合、当該電話帳データの登録名称に非対応の文字コードが含まれるか否かを判定する第１の判定手段と、第１の判定手段によって受信した電話帳データに非対応の文字コードが含まれると判定された場合、非対応の文字コードをスペースに置換する第１の置換手段と、電話帳データの登録名称がスペースのみか否かを判定する第２の判定手段と、第２の判定手段によって登録名称がスペースのみであると判定された場合、登録名称をブランクにして記憶媒体に保存する第２の置換手段と、を備えたことを特徴としている。
【０００８】
このように、第２の判定手段によって登録名称がスペースのみであると判定された場合、第２の置換手段によって登録名称がブランクにされ記憶媒体に保存されるので、第１の置換手段によって非対応の文字コードがスペースに置換されても、電話番号の一部もしくは全部が表示され、利用者は電話帳データを識別することができる。
【０００９】
また、本発明では、移動体通信端末から電話帳データを受信した場合、当該電話帳データの登録名称に非対応の文字コードが含まれるか否かを判定し、転送された電話帳データに非対応の文字コードが含まれると判定された場合、非対応の文字コードをスペースに置換し、置換した登録名称を含む電話帳データを記憶媒体に保存するもので、記憶媒体から読み出した電話帳データの登録名称のすべてがスペースか否かを判定する判定手段と、判定手段によって記憶媒体から読み出した電話帳データの登録名称のすべてがスペースであると判定された場合、電話帳データの電話番号の一部もしくは全部を表示する表示手段と、を備えたことを特徴としている。
【００１０】
このように、判定手段によって記憶媒体から読み出した電話帳データの登録名称のすべてがスペースであると判定された場合、表示手段によって、電話帳データの電話番号の一部もしくは全部が表示されるので、移動体通信端末から受信した電話帳データに非対応の文字コードが含まれ、第１の置換手段によって登録名称のすべてがスペースに置換されても、電話帳データの電話番号の一部もしくは全部が表示され、利用者は電話帳データを識別することができる。
【発明を実施するための最良の形態】
【００１１】
（第１実施形態）
本発明の第１実施形態に係るハンズフリー装置と移動体通信端末の全体構成を図１に示す。本実施形態におけるハンズフリー装置はナビゲーション装置１を用いて構成されており、また、移動体通信端末には携帯電話機２が用いられる。また、車両には、運転者の顔の近くに設けられたマイクロホン３０、車両のドア等に取り付けられたスピーカ３１およびこのスピーカ３１へ出力する音声信号の増幅するオーディオ制御装置３２が備えられている。
【００１２】
ナビゲーション装置１は、内部メモリを有するＣＰＵ１７、マイクロホン３０から入力される送話音声およびスピーカ３１から出力させる受話音声の音声処理を行う音声処理部１１、車内ＬＡＮを介してオーディオ制御装置３２に接続するための車内ＬＡＮインタフェース１２、液晶等の表示画面にＣＰＵ１７から入力される映像信号に応じた映像を表示させる表示部１３、表示部１３の表示画面に重ねて設けられたタッチスイッチや表示部１３の表示画面の周囲等に設けられた押しボタンスイッチ等から入力される各種キー操作を受け付けるキー操作受付部１４、ＥＥＰＲＯＭからなる記憶部１５および携帯電話機２との間の近距離無線通信を行う近距離無線通信部１６を備えている。
【００１３】
なお、ナビゲーション装置１と携帯電話機２との間で行われる近距離無線通信は、例えば、Ｂｌｕｅｔｏｏｔｈ（登録商標）通信や赤外線通信などである。
【００１４】
また、ナビゲーション装置１は、これらの他にＧＰＳ受信機等の位置検出器、地図データを入力するための地図データ入力器等（いずれも図示せず）を備えている。
【００１５】
一方、携帯電話機２は、ＣＰＵ２１に、電話網１９との間の無線通信を制御する無線部２２と、マイクロホン２３が入力した送話音声およびスピーカ２４が出力する受話音声を音声処理する音声処理部２５と、通話開始キー、通話終了キー、「０」〜「９」の「数字」キーなどの多数のキーが配列されてなるキー操作受付部２６と、日付や時刻などを表示する表示部２７と、ＲＡＭやＲＯＭからなる記憶部２８と、ナビゲーション装置１との間の近距離無線通信を行う近距離無線通信部２９とが接続された構成となっている。
【００１６】
利用者は、キー操作受付部２６の操作により登録名称と電話番号等を編集して、電話帳データを記憶部２８に登録する。このとき、絵文字等の互換性のない文字コードを用いて登録名称を入力することができる。したがって、記憶部２８には、絵文字等の互換性のない文字コードを含む登録名称が登録される場合がある。
【００１７】
また、本実施形態における携帯電話機２は、近距離無線通信により、記憶部２８に記憶された電話帳データをナビゲーション装置１の記憶部１５へ転送できるようになっている。
【００１８】
ところで、ハンズフリー装置として、登録名称と電話番号が関連付けられて電話帳データが記憶された記憶媒体を有し、記憶媒体から読み出した電話帳データの登録名称にスペースを含む文字コードが含まれる場合には登録名称を優先的に表示し、読み出した電話帳データの登録名称がブランクの場合には電話番号を表示する処理を行うものが製品化されている。
【００１９】
本実施形態におけるナビゲーション装置１は、このようなハンズフリー装置の処理を利用して、電話帳データが記憶された記憶媒体から読み出した登録名称にスペースを含む文字コードが含まれる場合には登録名称を表示し、記憶媒体から読み出した登録名称がブランクの場合には電話番号の全部を表示するようになっている。なお、登録名称がブランクの場合とは、登録名称に文字コードがない場合を意味する。
【００２０】
次に、ナビゲーション装置１の作動について説明する。ナビゲーション装置１のＣＰＵ１７は、車両に搭載されているバッテリ（図示せず）から電力が供給されることにより動作を開始する。また、利用者の操作に応じて、自車位置周辺の地図上に自車マークを表示させる地図表示画面等を表示部１３に表示させる。
【００２１】
また、利用者の操作に応じてキー操作受付部１４から電話帳データの転送の待ち受け状態の指示が入力されると、電話帳データの待ち受け状態となり、表示部１３の表示を待ち受け画面に切り替える。
【００２２】
そして、利用者の操作に応じて携帯電話機２から電話帳データの転送が開始されると、ＣＰＵ１７は、近距離無線通信部１６を介して携帯電話機２からの電話帳データを受信し、受信した電話帳データを一時的に内部メモリに記憶するとともに、図２に示す電話帳データ保存処理を開始する。なお、本実施形態におけるＣＰＵ１７は、内部メモリに記憶した電話帳データを１件ずつ読み出して、この電話帳データ保存処理を行う。
【００２３】
まず、登録名称が表示可能な文字コードか否かを判定する（Ｓ１００）。具体的には、内部メモリに記憶した１件目の電話帳データを読み出して、電話帳データの登録名称に非対応の文字コードが含まれるか否かに基づいて登録名称が表示可能な文字コードか否かを判定する。なお、非対応の文字コードは、絵文字のような互換性のない文字コード等、ナビゲーション装置１では表示不可能な文字コードのことをいう。
【００２４】
内部メモリから読み出した電話帳データの登録名称に互換性のない文字コードが含まれない場合、Ｓ１００の判定はＹＥＳとなり、そのまま登録名称と電話番号等を記憶部１５に保存し（Ｓ１０２）、Ｓ１１２の処理へ進む。
【００２５】
また、内部メモリから読み出した電話帳データの登録名称に非対応の文字コードが含まれる場合、Ｓ１００の判定はＮＯとなり、登録名称の非対応の文字コードをスペースに置換する（Ｓ１０４）。登録名称の一部が非対応の文字コードの場合には登録名称の一部のみがスペースに置換され、登録名称のすべてが非対応の文字コードの場合には登録名称のすべてがスペースに置換される。
【００２６】
次に、登録名称がすべてスペースか否かを判定する（Ｓ１０６）。ここで、登録名称にスペース以外の文字コードが含まれる場合、Ｓ１０６の判定はＮＯとなり、そのまま登録名称と電話番号等を記憶部１５に保存し（Ｓ１０８）、Ｓ１１２の処理へ進む。
【００２７】
また、登録名称にスペースしか含まれない場合、Ｓ１０６の判定はＹＥＳとなり、次に、登録名称のスペースをブランクに置換して記憶部１５に保存する（Ｓ１１０）。具体的には、登録名称をブランクにして、この登録名称と電話番号等を記憶部１５に保存し、Ｓ１１２の処理へ進む。このように、登録名称をブランクにすることにより、登録名称は文字コードが含まれない空の状態となる。
【００２８】
Ｓ１１２では、電話帳データ保存が全件終了したか否かを判定する。具体的には、内部メモリに記憶した電話帳データの件数と本処理において記憶部１５に保存した件数が一致したか否かに基づいて内部メモリに記憶した電話帳データの保存が全件終了したか否かを判定する。
【００２９】
記憶部１５に保存した件数が内部メモリに記憶した電話帳データの件数よりも少ない場合、Ｓ１１２の判定はＮＯとなり、Ｓ１１０に戻り、内部メモリから次の電話帳データを読み出して上記した処理を繰り返す。
【００３０】
記憶部１５に保存した件数が内部メモリに記憶した電話帳データの件数と一致した場合、Ｓ１１２の判定はＹＥＳとなり、本処理を終了し、電話帳データの転送が終了した旨を表示部１３に表示させる。
【００３１】
次に、電話帳の表示について説明する。利用者がナビゲーション装置１のメニュー画面に従って電話帳の表示を操作すると、ＣＰＵ１７は、登録名称の頭文字の順に記憶部１５から電話帳データを読み出し、図５（ａ）に示した電話帳の表示画面を表示部１３に表示させる。具体的には、アルファベット（Ａ〜Ｚ）、数字（０〜９）、シンボル（ＳＹ）の順に登録名称を一覧表示させ、利用者のスクロール操作に応じて登録名称を上下方向にスクロールさせる。なお、登録名称の頭文字がプラス（＋）やマイナス（−）のような記号で始まる場合、登録名称をそのまま表示させる。
【００３２】
ただし、登録名称がブランクとして保存された電話帳データを表示する場合、ＣＰＵ１７は、登録名称ではなく電話番号を表示させる。図４に、登録名称がブランクとして保存されている電話帳データの表示例を示す。登録名称がブランクとなっている電話帳データは、登録名称ではなく電話番号（１２３４５６７８９０、１２３４５６７８９１、１２３４５６７８９２）が表示されている。なお、登録名称がブランクとして保存された電話帳データの頭文字はシンボル（ＳＹ）として扱われる。
【００３３】
図５（ｂ）では、登録名称がスペースとなっているために電話番号（１２３４５６７８９０）が表示されないが、図４では、電話番号（１２３４５６７８９０、１２３４５６７８９１、１２３４５６７８９２）が表示されるので、利用者は電話番号を認識することができる。
【００３４】
上記した構成によれば、電話帳データが記憶された記憶部１５から読み出した電話帳データの登録名称がブランクの場合には電話番号の全部を表示し、記憶部１５から読み出した電話帳データの登録名称にスペースを含む文字コードが含まれる場合には登録名称を表示するもので、携帯電話機２から電話帳データを受信した場合、当該電話帳データの登録名称に非対応の文字コードが含まれるか否かを判定し（Ｓ１００）、受信した電話帳データに非対応の文字コードが含まれると判定された場合、非対応の文字コードをスペースに置換し（Ｓ１０４）、電話帳データの登録名称がスペースのみか否かを判定し（Ｓ１０６）、登録名称がスペースのみであると判定された場合、登録名称をブランクにして記憶部１５に保存する（Ｓ１１０）ようになっている。
【００３５】
このように、登録名称がスペースのみであると判定された場合、登録名称がブランクにされるので、受信した電話帳データに非対応の文字コードが含まれ、登録名称のすべてがスペースに置換されても、電話番号の全部が表示され、利用者は電話帳データを識別することができる。
【００３６】
（第２実施形態）
本実施形態に係るハンズフリー装置と移動体通信端末の構成は、図１に示した構成と同じである。第１実施形態では、電話帳データの非対応の文字コードをスペースに置換して、登録名称のすべてがスペースとなった場合、携帯電話機２から転送された電話帳データを記憶部１５に保存する際に、登録名称のスペースをブランクに置換する例を示したが、本実施形態では、電話帳データの非対応の文字コードをスペースに置換して、登録名称のすべてがスペースとなっても電話帳データをそのまま記憶部１５に保存し、記憶部１５から読み出す際にスペースをブランク扱いとして電話番号を表示する。
【００３７】
本実施形態におけるナビゲーション装置１のＣＰＵ１７は、携帯電話機２からの電話帳データを受信した場合、受信した電話帳データを一時的に内部メモリに記憶する。そして、内部メモリに記憶した電話帳データの登録名称に非対応の文字コードが含まれるか否かに基づいて登録名称が表示可能な文字コードか否かを判定し、登録名称に非対応の文字コードが含まれないと判定した場合には登録名称をそのまま記憶部１５に保存し、登録名称に非対応の文字コードが含まれると判定した場合には非対応の文字コードをスペースに置換して記憶部１５に保存する。
【００３８】
利用者がナビゲーション装置１のメニュー画面に従って電話帳の表示を操作すると、ＣＰＵ１７は、登録名称の頭文字の順に記憶部１５から電話帳データを読み出し、電話帳の表示画面が表示部１３の表示画面に表示させる。表示部１３の表示画面には、アルファベット、数字、シンボルの順に登録名称が一覧表示され、利用者のスクロール操作に応じて登録名称が上下方向にスクロールする。
【００３９】
このように、利用者のスクロール操作に応じて登録名称がブランクとして保存されている電話帳データを表示する場合、ＣＰＵ１７は、図３に示す表示処理を開始する。
【００４０】
まず、表示すべき対象データの読み出しを行う（Ｓ２００）。具体的には、利用者のスクロール操作に応じて表示すべき対象データの電話帳データを記憶部１５から読み出す。
【００４１】
次に、表示すべき対象データの登録名称がすべてスペースか否かを判定する（Ｓ２０２）。ここで、登録名称にスペース以外の文字コードが含まれる場合、Ｓ２０２の判定はＮＯとなり、そのまま登録名称を表示部１３に表示させ（Ｓ２０４）、本処理を終了する。
【００４２】
また、登録名称にスペースしか含まれない場合、Ｓ１０６の判定はＹＥＳとなり、次に、登録名称をブランク扱いとして電話番号のすべての桁数を表示部１３に表示させ（Ｓ２０６）、本処理を終了する。
【００４３】
上記した構成によれば、記憶部１５から読み出した電話帳データの登録名称のすべてがスペースか否かを判定し（Ｓ２０２）、記憶部１５から読み出した電話帳データの登録名称のすべてがスペースであると判定された場合、登録名称をブランク扱いとして電話帳データの電話番号の全部を表示する（Ｓ２０６）ようになっている。
【００４４】
このように、記憶部１５から読み出した電話帳データの登録名称のすべてがスペースであると判定された場合、登録名称をブランク扱いとして電話帳データの電話番号の全部が表示されるので、携帯電話機２から受信した電話帳データに非対応の文字コードが含まれ、登録名称のすべてがスペースに置換されても、電話帳データの電話番号の全部が表示され、利用者は電話帳データを識別することができる。
【００４５】
（その他の実施形態）
上記実施形態では、ナビゲーション装置１と携帯電話機２との間の通信を近距離無線通信にて実現する例を示したが、例えば、ナビゲーション装置１と携帯電話機２との間をケーブルを用いて接続し、ナビゲーション装置１と携帯電話機２との間の通信を有線通信にて実現してもよい。
【００４６】
また、上記実施形態では、移動体通信端末として携帯電話機を用いた例を示したが、携帯電話機に限定されるものではなく、例えば、ＰＨＳやＰＤＡ等を用いてもよい。
【００４７】
なお、第１、第２実施形態において、電話番号のすべての桁数を表示する例を示したが、電話番号のすべての桁数を表示すると運転者が電話番号を注視してしまうことが考えられ安全上問題がある。そこで、例えば、電話番号の下４桁といったように、電話番号の一部を表示させてもよい。この場合、電話番号の表示されない桁を、アスタリスク（＊）等に代えて表示してもよい。また、車両から車速信号を入力し、車速が一定値以上の場合には電話番号の一部を表示させ、車速が一定値未満の場合には電話番号の全部を表示させてもよい。
【００４８】
また、表示画面に電話番号を表示する際に、表示画面の表示枠の大きさによっては、全ての桁数を表示できない場合がある。この場合、例えば、電話番号の表示可能な桁数のみを表示させてもよい。
【００４９】
また、電話帳データの電話番号は、例えば、１０桁または１１桁の電話番号情報にポーズ（Ｐ）等の区切り記号と数字を組み合わせて、０１２３４５６７８９Ｐ１２等の形式で登録される場合がある。このように１０桁または１１桁の電話番号情報に他の情報が付加された形式で電話番号が登録されている場合、表示画面の表示枠の大きさ等によって、すべての桁数を表示できない場合がある。この場合、例えば、電話番号の表示可能な桁数のみを表示させてもよい。また、１０桁または１１桁の電話番号情報に他の情報が付加された形式で電話番号が登録されている場合であっても、電話番号のすべての桁数の表示が可能な場合、電話番号の全ての桁数を表示画面に表示してもよい。
【００５０】
なお、上記実施形態における構成と特許請求の範囲の構成との対応関係について説明すると、Ｓ１００の処理が第１の判定手段に相当し、Ｓ１０４の処理が第１の置換手段に相当し、Ｓ１０６の処理が第２の判定手段に相当し、Ｓ１１０の処理が第２の置換手段に相当し、Ｓ２０２の処理が判定手段に相当し、Ｓ２０６の処理が表示手段に相当する。
【図面の簡単な説明】
【００５１】
【図１】本発明の第１実施形態に係るハンズフリー装置と移動体通信端末の全体構成を示す図である。
【図２】ナビゲーション装置のＣＰＵによる電話帳データ保存処理を示す図である。
【図３】ナビゲーション装置のＣＰＵによる表示処理を示す図である。
【図４】ハンズフリー装置の電話帳の表示例を示す図である。
【図５】ハンズフリー装置の電話帳の表示例を示す図である。
【符号の説明】
【００５２】
１…ナビゲーション装置、１１…音声処理部、１２…車内ＬＡＮインタフェース、
１３…表示部、１４…キー操作受付部、１５…記憶部、１６…近距離無線通信部、
１７…ＣＰＵ、２…携帯電話機、２１…ＣＰＵ、２２…無線部、２３…マイクロホン、
２４…スピーカ、２５…音声処理部、２６…キー操作受付部、２７…表示部、
２８…記憶部、２９…近距離無線通信部、３０…マイクロホン、３１…スピーカ、
３２…オーディオ制御装置。
【図１】
0004453628.tif 000002
【図２】
0004453628.tif 000003
【図３】
0004453628.tif 000004
【図４】
0004453628.tif 000005
【図５】
0004453628.tif 000006